(57)【要約】【課題】着信時にはステレオ効果を持った着信音を発生させることができるとともに、展開時及び折り畳み時のいずれの状態でも着信を受けて通話を行うことができ、かつ発呼者等の受信情報を確認することが可能な携帯無線機を提供する。【解決手段】対向配置されかつ互いの対向面に対して垂直な軸線を中心に回動させることで開閉可能に構成した第一の筐体１と第二の筐体２のうち、第一の筐体１の対向面側にはキー操作部５と第一のマイク４を設けるとともに、上記第二の筐体２の外面側には表示部６とこの表示部６を挟んで配置される二つのスピーカー部７，８並びに第二のマイク部９を設け、展開時には第一のマイク部４を送話部、第一のマイク部４より遠方のスピーカー部８を受話部として動作させ、かつ折り畳み時には第二のマイク部９を送話部、第二のマイク部９より遠方のスピーカー部７を受話部として動作させるようにする。【選択図】図１
2004032352.tif 000002
【特許請求の範囲】
【請求項１】
対向配置されかつ互いの対向面に対して略垂直な軸線を中心に回動させることで開閉可能に構成した第一の筐体と第二の筐体とからなり、上記第一の筐体の第二の筐体との対向面側には少なくともキー操作部と第一のマイク部を備えるとともに、上記第二の筐体の第一の筐体と反対の外面側には少なくとも表示部と該表示部を挟んで配置される二つのスピーカー部並びに第二のマイク部を備え、上記第一の筐体と第二の筐体が開いている時には上記第一の筐体の第一のマイク部を送話部、上記第一のマイク部より遠方のスピーカー部を受話部としてそれぞれ動作させ、かつ上記第一の筐体と第二の筐体が閉じている時には上記第二の筐体の第二のマイク部を送話部、上記第二のマイク部より遠方のスピーカー部を受話部としてそれぞれ動作させるように成したことを特徴とする携帯無線機。
【請求項２】
少なくとも着信時には上記二つのスピーカー部より着信音を発するように成したことを特徴とする請求項１に記載の携帯無線機。
【発明の詳細な説明】
【０００１】
【発明の属する技術分野】
本発明は、ＰＤＣ（Ｐｅｒｓｏｎａｌ　Ｄｉｇｉｔａｌ　Ｃｅｌｌｕｌａｒ）、ＣＤＭＡ（Ｃｏｄｅ　ＤｉｖｉｓｉｏｎＭｕｌｔｉｐｌｅ　Ａｃｃｅｓｓ）、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎ）やＰＨＳ（Ｐｅｒｓｏｎａｌ　Ｈａｎｄｙ−ｐｈｏｎｅ　Ｓｙｓｔｅｍ）等の通信手段を用いた携帯無線機に関するものである。
【０００２】
【従来の技術】
近年、データの高速伝送が可能なＰＤＣ（Ｐｅｒｓｏｎａｌ　Ｄｉｇｉｔａｌ　Ｃｅｌｌｕｌａｒ）、ＣＤＭＡ（Ｃｏｄｅ　Ｄｉｖｉｓｉｏｎ　Ｍｕｌｔｉｐｌｅ　Ａｃｃｅｓｓ）、ＧＳＭ（Ｇｌｏｂａｌ　Ｓｙｓｔｅｍ　ｆｏｒ　Ｍｏｂｉｌｅ　Ｃｏｍｍｕｎｉｃａｔｉｏｎ）やＰＨＳ（Ｐｅｒｓｏｎａｌ　Ｈａｎｄｙ−ｐｈｏｎｅ　Ｓｙｓｔｅｍ）等の通信手段を用いた携帯無線機が広く用いられ、さらに、次世代の技術として開発されているＷＣＤＭＡ（Ｗｉｄｅ　ｂａｎｄ　ＣＤＭＡ）、ＣＤＭＡ２０００等の通信手段を用いたものが開発されつつある。
【０００３】
また、この種の携帯無線機には、携帯性を高めるために折り畳み機構を持ったものも知られている。
【０００４】
図７に従来の折り畳み式の携帯無線機の一例を示すように、第一の筐体２１と第二の筐体２２とをヒンジ部２３を介して互いの対向面２１ａ，２２ａ間の角度が略０度から１８０度までの間で可変可能に連結され、上記第一の筐体２１の第二の筐体２２との対向面２１ａ側にはキー操作部２５とマイク部２４を備え、上記第二の筐体２２の第一の筐体２１との対向面２２ａ側には表示部２６とスピーカー部２７を備え、上記第一の筐体２１又は第二の筐体２２の端部にアンテナ（不図示）を具備したものが知られている。
【０００５】
しかし、図７に示す折り畳み式の携帯無線機２０は、折り畳んで閉じた状態ではスピーカー部２７とマイク部２４が隠れてしまい、そのままでは通話を行うことができないといった課題があった。その為、折り畳んだ状態で着信があった場合、通話を行うためには第一の筐体２１又は第二の筐体２２を開いたあと、オフフック操作を行なわなければならないというように手間がかかり、また着信があってから第一の筐体２１又は第二の筐体２２を開くのに時間がかかった場合、電話が切れてしまうといった恐れもあった。
【０００６】
また、折り畳んだ時にはスピーカー部２７とマイク部２４が接近することになるため、ハウリングを起こすといった課題もあった。
【０００７】
そこで、このような課題を解決するものとして、特開平１１−１８７０９８号公報には、図８に示すように、第二の筐体２２の対向面２２ａと反対側の外面２２ｂに第二のマイク部２８と第二のスピーカー部２９をそれぞれ設けるとともに、上記いずれか一方の筐体側面にオンフック操作部３０及びオフフック操作部３１を設けたものが提案されている。
【０００８】
この技術によれば、折り畳み時に着信があった場合、オフフック操作部３１を押下することにより、第一の筐体２１及び第二の筐体２２を開くことなく第二のスピーカー部２９を受話部として動作させるとともに、第二のマイク部２８を送話部として動作させて通話を行なうことができるため、通話に移行するまでの時間を短縮し、操作の手間を省くことができるといった利点があった。
【０００９】
一方、互いの対向面２１ａ，２２ａ間の角度を可変可能に連結した携帯無線機２０は、折り畳んだ状態では表示部２６を見ることができず、この場合、第一の筐体２１又は第二の筐体２２を開くといった動作が必要となり操作に手間がかかるため、図９（ａ）（ｂ）に示すような携帯無線機４０も提案されている。
【００１０】
この携帯無線機４０は、対向配置されかつヒンジ部４９によって互いの対向面に対して垂直な軸線を中心に回転可能に構成された第一の筐体４１と第二の筐体４２とからなり、上記第一の筐体４１の第二の筐体４２との対向面側にキー操作部４５と一つのマイク部４４を備え、上記第二の筐体４２の第一の筐体４１と反対の外面側には表示部４６と一つのスピーカー部４７を備えている（特開平７−２８８８６０号公報参照）。
【００１１】
この携帯無線機４０によれば、第一の筐体４１と第二の筐体４２の展開時又は折り畳み時に関係なく表示部４６を見ることができるため、発呼者の確認等を容易に行うことができるといった利点があった。
【００１２】
【発明が解決しようとする課題】
しかしながら、図８に示す携帯無線機２０は、折り畳み時に着信を受けても表示部２６が見れないため、発呼者を確認することができず、それ故、迷惑電話等に対処することができないといった不都合があった。
【００１３】
一方、図９（ａ）（ｂ）に示す携帯無線機４０は、折り畳み時にも表示部４６が露出しているため、着信があった場合には直ちに発呼者を確認することができるものの、図９（ｂ）に示すように、折り畳み時にはマイク部４４がスピーカー部４７の真後ろ側に隠れてしまい、折り畳んだ状態では通話を行なうことができず、通話を行なうためには第一の筐体４１と第二の筐体４２を展開するとともに、オフフック操作をおこなわなければならないために手間がかかるといった課題があった。また、折り畳んだ時にはスピーカー部４７とマイク部４４が接近することになるため、ハウリングを起こす恐れもあった。
【００１４】
【課題を解決するための手段】
そこで、上記課題に鑑み、本発明の携帯無線機は、対向配置されかつ互いの対向面に対して略垂直な軸線を中心に回動させることで開閉可能に構成した第一の筐体と第二の筐体とからなり、上記第一の筐体の第二の筐体との対向面側には少なくともキー操作部と第一のマイク部を備えるとともに、上記第二の筐体の第一の筐体と反対の外面側には少なくとも表示部と該表示部を挟んで配置される二つのスピーカー部並びに第二のマイク部を備え、上記第一の筐体と第二の筐体が開いている時には上記第一の筐体の第一のマイク部を送話部、上記第一のマイク部より遠方のスピーカー部を受話部としてそれぞれ動作させ、かつ上記第一の筐体と第二の筐体が閉じている時には上記第二の筐体の第二のマイク部を送話部、上記第二のマイク部より遠方のスピーカー部を受話部としてそれぞれ動作させるように成したことを特徴とする。
【００１５】
また、少なくとも着信時には上記二つのスピーカー部より着信音を発するようにすることが好ましい。
【００１６】
【発明の実施の形態】
以下、本発明の実施形態について説明する。
【００１７】
図１は本発明の携帯無線機の折り畳み時の状態を示す平面図、図２は本発明の携帯無線機の展開途中の状態を示す平面図、図３は本発明の携帯無線機の展開時の状態を示す平面図である。
【００１８】
本発明の携帯無線機１０は、対向配置された第一の筐体１と第二の筐体２とからなり、互いの対向面１ａに対して垂直な軸線を中心に回転可能に構成されている。回転機構としては、第一の筐体１と第二の筐体２とを対向配置した時、その一端側において、互いの対向面１ａに対して略垂直に配置されたヒンジ部３を介して回転させることができるようになっている。なお、図１では第二の筐体２が第一の筐体１の対向面１ａに対して平行にスライドしながら回転する例を示したが、ヒンジ部３を起点として第二の筐体２を第一の筐体１の対向面１ａに対して若干傾斜させた後、ヒンジ部３を中心に回転させることにより第一の筐体１と第二の筐体２とが開いた時には第二の筐体２の外面２ｂと第一の筐体１の対向面１ａとのなす角度が９０°より大きくかつ１８０°未満の範囲となるようにしても良い。
【００１９】
また、第一の筐体１の第二の筐体２との対向面１ａ側にはキー操作部５と第一のマイク部４を備え、第一のマイク部４はヒンジ部３と反対側の端部に配置してある。
【００２０】
また、第二の筐体２の第一の筐体１と反対の外面２ｂ側には、液晶表示装置等の表示部６と、この表示部６を挟んで配置された二つのスピーカー部７，８を備え、一方のスピーカー７はヒンジ部３の近傍に、他方のスピーカー８はヒンジ部３と反対側の端部にそれぞれ配置してある。さらに、第二の筐体２の第一の筐体１と反対の外面２ｂ側であって、表示部６を挟んでヒンジ部３と反対側の端部には第二のマイク部９を設けてある。
【００２１】
なお、第一の筐体１には出し入れ可能にアンテナ１８を収納してあり、第一の筐体１のヒンジ部３近傍の端部より出し入れすることができるように構成してある。また、１９は第一の筐体１の側面に配置したオフフック操作部である。
【００２２】
次に、本発明の携帯無線機１０のブロック図を図４に示すように、第一の筐体１内にはアンテナ１８と接続される送信部１１及び受信部１２を有するとともに、制御部１３を備え、制御部１３は第一及び第二のマイク部４，９、二つのスピーカー部７，８、表示部６、並びにキー操作部５と各々接続されている。なお、１５は制御部１３に接続された記憶部、１４は電池、１６は第一の検出部、１７は第二の検出部で、第一の検出部１６及び第二の検出部１７はそれぞれ第二の筐体２の第一の筐体１に対する展開状態を検知するようになっている。即ち、図５に検出部の構造を示すように、円柱状をしたヒンジ部３の外周には二本の導体パターン１６ａ，１７ａを形成してあり、ヒンジ部３の回転により二つの導通端子１６ｂ，１７ｂが二本の導体パターン１６ａ，１７ａと接触／非接触となることでオン状態／オフ状態を検出するようになっている。
【００２３】
具体的には、表１に示すように、第一の検出部１６がオン状態、第二の検出部１７がオフ状態のときは第一の筐体１と第二の筐体２とが完全に重なった折り畳まれた状態（図１）にあり、第一の検出部１６がオン状態、第二の検出部１７がオン状態のときは第二の筐体２が第一の筐体１に対して９０度回転した状態にあり、第一の検出部１６がオフ状態、第二の検出部１７がオン状態のときは第二の筐体２が第一の筐体１に対して１８０度回転した展開した状態（図３）にあり、第一の検出部１６がオフ状態、第二の検出部１７がオフ状態のときは第二の筐体２が上記以外の状態（図２）にある。
【００２４】
【表１】
2004032352.tif 000003
【００２５】
なお、第一の検出部１６及び第二の検出部１７の状態と展開状態との関係は表１に示すパターンだけに限らず、適宜設定することができる。
【００２６】
そして、本発明の携帯無線機１０は、第一の筐体１と第二の筐体２の展開時は勿論のこと、折り畳み時においても通話を行うことができるようになっている。
【００２７】
その流れを図６に示すフローチャート図を基に説明する。
【００２８】
まず、着信を検知すると、２つのスピーカー部７，８を動作させて着信音を放音させる。この時、２つのスピーカー部７，８は表示部６を挟んで両側に配置されていることから両者の距離を離すことができるため、ステレオ音を発することができる。
【００２９】
そして、通話を行うにはオフフックボタン１９を押下することにより行うのであるが、この時、第一の検出部１６及び第二の検出部１７にて第一の筐体１と第二の筐体２の展開状態を確認する。例えば、第一の検出部１６がオフ状態でかつ第二の検出部１７がオン状態である場合、携帯無線機１０は展開した状態（図３）にあるため、表示部６に発呼者やその電話番号等の受信情報等を表示させるとともに、第一のマイク部４及び第一のマイク部４より遠方（ヒンジ部３と反対側の端部）にあるスピーカー部８をそれぞれ動作させ、スピーカー部８を耳元に、第一のマイク部４を口元にそれぞれ近づけることにより通話を行うことができるようになっている。なお、この時、ヒンジ部３近傍にあるスピーカー部７及び第二のマイク部９はそれぞれ不動作とし、また、表示部６の表示情報等はスピーカー部８側が「上」となるように表示させるようになっている。
【００３０】
また、通話を行うためにオフフックボタン１９を押下した時、第一の検出部１６がオン状態でかつ第二の検出部１７がオフ状態である場合、携帯無線機１０は折り畳まれた状態（図１）にあるため、表示部６に発呼者やその電話番号等の受信情報等を表示させるとともに、第二のマイク部９及び第二のマイク部９より遠方（ヒンジ部３近傍）にあるスピーカー部７をそれぞれ動作させ、スピーカー部７を耳元に、第二のマイク部９を口元側にそれぞれ近づけることにより通話を行うことができるようになっている。なお、この時、第二のマイク部９近傍（ヒンジ部３と反対側の端部）にあるスピーカー部８及び第一のマイク部４はそれぞれ不動作とし、また、表示部６の表示情報等は上下を切り替えてスピーカー部７側が「上」となるように表示させるようになっている。
【００３１】
さらに、オフフックボタン１９を押下した時、第一の検出部１６がオン状態でかつ第二の検出部１７がオン状態である場合又は第一の検出部１６がオフ状態でかつ第二の検出部１７がオフ状態である場合、いずれも第二の筐体２は第一の筐体１に対して展開途中であるため、この時には着信があったことを２つのスピーカー部７，８によって着信音を報知するだけで、表示部６は背景色、第一及び第二のマイク部４，９は各々不動作とし、着信を受ける場合には、第二の筐体２を完全に折り畳むか（図１）又は展開する（図３）ことで上述のように通話を行うようになっている。
【００３２】
このように、本発明の携帯無線機１０によれば、第二の筐体２が展開している場合だけでなく、折り畳まれている場合でも発呼者やその電話番号等の受信情報を表示部６を介して確認することができるとともに、そのまま通話モードに移行することもできる。
【００３３】
また、着信時には二つのスピーカー部７，８よりそれぞれ独立に着信音を発生させるようにしておくことでステレオ効果をもった着信音を発することができ、特に音楽を着信音として用いた場合、臨場感溢れる着信音を発生させることができる。
【００３４】
さらに、第二の筐体２の外面２ｂに第二のマイク部９を設けるようにしたことから、折り畳み時に通話を行う場合、第二のマイク部９によって確実に集音し、正確な音声を相手側に送ることができる。
【００３５】
以上、本発明の実施形態について示したが、本発明は上述した実施形態だけに限定されるものではなく、本発明の要旨を逸脱しない範囲で改良や変更したものにも適用できることは言う迄もない。
【００３６】
【発明の効果】
以上のように、本発明の携帯無線機によれば、対向配置されかつ互いの対向面に対して略垂直な軸線を中心に回動させることで開閉可能に構成した第一の筐体と第二の筐体とからなり、上記第一の筐体の第二の筐体との対向面側には少なくともキー操作部と第一のマイク部を備えるとともに、上記第二の筐体の第一の筐体と反対の外面側には少なくとも表示部と該表示部を挟んで配置される二つのスピーカー部及び第二のマイク部を備え、上記第一の筐体と第二の筐体が開いている時には上記第一の筐体の第一のマイク部を送話部、上記第一のマイク部より遠方のスピーカー部を受話部としてそれぞれ動作させ、かつ上記第一の筐体と第二の筐体が閉じている時には上記第二の筐体の第二のマイク部を送話部、上記第二のマイク部より遠方のスピーカー部を受話部としてそれぞれ動作させるようにしたことによって、携帯無線機の展開時だけでなく折り畳み時においても着信があった場合、表示部に発呼者やその電話番号等の受信情報等を表示することができるため、発呼者の特定を容易に行うことができ、また受信情報に応じて直ちに通話を行うことができる。その為、発呼者を待たせるようなことがなく、また、迷惑電話であるような場合、強制的に通話を拒否することができる。しかも、従来の折り畳み式の携帯無線機のように通話を行うために２つの筐体を開く操作が不要であるため、着信に気付くのが遅れた時でも電話が切れる前に通話することができる確率を向上させることができるため、発呼者に不快感を与えることがなく、携帯無線機としての携帯性を十分に発揮することができる。
【００３７】
また、本発明によれば、表示部を挟んでスピーカー部を二つ配置し、マイク部より離れている方のスピーカー部が受話部として機能するようにしたことから、ハウリングを起こすこともない。
【００３８】
さらに、本発明によれば、少なくとも着信時には上記二つのスピーカー部より着信音を発信させるようにしたことからステレオ効果を有する着信音を発生させることができ、聴衆者に快感を与えることができる。
【図面の簡単な説明】
【図１】本発明の携帯無線機の折り畳み時の状態を示す平面図である。
【図２】本発明の携帯無線機の展開途中の状態を示す平面図である。
【図３】本発明の携帯無線機の展開時の状態を示す平面図である。
【図４】本発明の携帯無線機を示すブロック図である。
【図５】本発明の携帯無線機の検出部の構造を示す部分拡大斜視図である。
【図６】本発明の携帯無線機の着信時における流れを示すフローチャート図である。
【図７】従来の携帯無線機の展開時の状態を示す斜視図である。
【図８】従来の他の携帯無線機の折り畳み時の状態を示す斜視図である。
【図９】従来のさらに他の携帯無線機を示す斜視図で、（ａ）は展開時、（ｂ）は折り畳み時である。
【符号の説明】
１第一の筐体　２：第二の筐体　３：ヒンジ部　４：第一のマイク部
５：キー操作部　６：表示部　７：スピーカー部　８：スピーカー部
９：第二のマイク部　１０：携帯無線機　１８：アンテナ
１９：オフフック操作部
【図１】
2004032352.tif 000004
【図２】
2004032352.tif 000005
【図３】
2004032352.tif 000006
【図４】
2004032352.tif 000007
【図５】
2004032352.tif 000008
【図６】
2004032352.tif 000009
【図７】
2004032352.tif 000010
【図８】
2004032352.tif 000011
【図９】
2004032352.tif 000012